(57)【要約】      （修正有）【課題】トラッキングサーボが機能せずに光ピックアップが異常動作してしまうことを防止できる光ディスク再生装置を提供する。【解決手段】光ディスクからの反射光を受光する光ピックアップを有する光ディスク再生装置であって、光ディスク再生装置が動作を開始するとフォーカシング・サーボ等が確立し、光ピックアップのフォーカスがオンの状態となる（Ｓ１００）。つぎに、ＲＦ信号のピーク対ピークの差分値を測定する（Ｓ２００）。マイコン５００は、その差分データに基づき、光ピックアップの位置がミラー面側か、あるいは、情報記録領域（データエリア）側かを判別する（Ｓ３００）。【選択図】      図３
2004310931.tif 000002
【特許請求の範囲】
【請求項１】
光ディスクからの反射光を受光する光ピックアップを有する光ディスク再生装置において、
前記反射光から得られる信号のレベルを検出する信号レベル検出回路部と、
前記レベルに基づき、前記光ディスクにおける情報記録領域と情報未記録領域とのいずれかの側に、前記光ピックアップが位置しているかを判別する判別部と、
を備えることを特徴とする光ディスク再生装置。
【請求項２】
前記反射光から得られる前記信号の前記レベルが所定の基準値よりも小さい場合に、前記光ピックアップの位置は前記情報未記録領域側であると、前記判別部が判別することを特徴とする請求項１記載の光ディスク再生装置。
【請求項３】
前記光ピックアップの位置が前記情報未記録領域側である場合、前記光ピックアップを移動させることを特徴とする請求項１または２に記載の光ディスク再生装置。
【請求項４】
さらに、前記光ピックアップの位置が前記光ディスクの内周側であるか否かを検出する光ピックアップ位置検出部を有し、
前記光ピックアップ位置検出部の検出結果に基づき、前記光ピックアップを移動させることを特徴とする請求項３記載の光ディスク再生装置。
【請求項５】
前記反射光から得られる前記信号はＲＦ信号であって、前記レベルは当該ＲＦ信号のピーク対ピークの差分値であることを特徴とする請求項１乃至４のいずれかに記載の光ディスク再生装置。
【請求項６】
前記判別部は、前記反射光から得られる信号のレベルについて所定時間の当該レベルに基づき、前記光ピックアップの前記位置を判別することを特徴とする請求項１乃至５のいずれかに記載の光ディスク再生装置。
【請求項７】
光ディスクからの反射光から得られる信号のレベルを検出し、
前記レベルに基づき、前記光ディスクにおける情報記録領域と情報未記録領域とのいずれかの側に、前記光ピックアップが位置しているかを判別する、
ことを特徴とする光ディスクのミラー面検知方法。
【発明の詳細な説明】
【０００１】
【発明の属する技術分野】
本発明は、光ディスク再生装置、及び光ディスクのミラー面検知方法に関する。
【０００２】
【従来の技術】
レーザー光を利用してデータ記録が可能な光ディスクには、例えば、ＣＤ−Ｒ等のデータ追記型（Ｗｒｉｔｅ  Ｏｎｃｅ）の光ディスクと、ＣＤ−ＲＷ等の書き換え可能型（Ｒｅｗｒｉｔａｂｌｅ）の光ディスク（光記録媒体）とがある。そして、良く知られているように、光ディスクの最内周および最外周には情報が全く記録されていないミラー面と呼ばれる領域（情報未記録領域）がある。
【０００３】
このような光ディスクから情報を再生（及び／又は記録）する装置において、光ピックアップは、光ディスクの情報記録領域から読み取られる信号に基づき、トラッキングサーボをかけられ、情報トラックを追従している（例えば、特許文献１参照。）。
【０００４】
すなわち、図１に示すように、光ディスク再生装置のサーボプロセッサ６００は、マイコン５００から指令を受けるとドライバ７００に制御信号を出力する。この制御信号に基づき、ドライバ７００は、光ピックアップ１００を搬送するスレッドを駆動する。結果、光ピックアップ１００は、光ディスク１０のリードイン領域に移動する。この光ピックアップ１００は、光ディスク１０へレーザ光を照射し、その反射光を受光することで、ＲＦ信号を読み取る。この読み取ったＲＦ信号に応じ、サーボプロセッサ６００は、光ピックアップ１００のフォーカスを光ディスク１０のピット面に合わせ、フォーカシング・サーボ及びトラッキング・サーボを確立する。
【０００５】
そして、再生処理として、ＲＦアンプ２００は、光ピックアップ１００が読み取ったＲＦ信号を増幅してＡ／Ｄコンバータ３００に出力する。Ａ／Ｄコンバータ３００は、増幅されたＲＦ信号をデジタル化してＤＳＰ４００に出力する。ＤＳＰ４００は、デジタル化されたＲＦ信号に基づき、ＥＦＭ復調や誤り訂正等の処理を実行し、ディジタルオーディオ信号等の再生信号を得る。なお、この再生信号は、Ｄ／Ａ（デジタル・アナログ）コンバータでアナログ信号に変換され、例えばオーディオアンプに出力される。
【０００６】
【特許文献１】
特開平２０００−２９３８５５号公報
【０００７】
【発明が解決しようとする課題】
しかしながら、光ピックアップ１００がスタート時にミラー面に位置づけられた場合や、再生動作中でも振動等でミラー面に対面してしまう場合、問題が生じる。つまり、ミラー面には、読み取られるべき信号が記録されていないため、トラッキングサーボが機能せず、光ピックアップが異常動作してしまう。さらに、光ディスクを回転させるスピンドルモータにあっては、その回転を制御するクロックを生成するＰＬＬ（位相ロックループ）が正常動作しなくなる（いわゆる、ＰＬＬが外れる。）。その結果、スピンドルモータが暴走することがある。
【０００８】
そこで、このＰＬＬが正常動作せずに外れるまでの時間を測定することにより、ミラー面の存在を検知していた。したがって、光ピックアップがミラー面に位置付けられている状態を検知するのが遅く、時間がかかり過ぎるといった問題があった。
【０００９】
【課題を解決するための手段】
本発明に係る光ディスク再生装置は、光ディスクからの反射光を受光する光ピックアップを有する光ディスク再生装置において、前記反射光から得られる信号のレベルを検出する信号レベル検出回路部と、前記レベルに基づき、前記光ディスクにおける情報記録領域と情報未記録領域とのいずれかの側に、前記光ピックアップが位置しているかを判別する判別部と、を備えることとする。
【００１０】
したがって、反射光から得られる信号のレベルに基づき、前記光ディスクにおける情報記録領域と情報未記録領域とのいずれかの側に、光ピックアップが位置しているかを判別する。よって、ゲイン調整などの再生処理に入る前に前記判別が可能となる。したがって、従来のようにＰＬＬが正常動作しなくなるまでの時間を測定するといった方式と異なり、極めて短時間で前記判別が可能となる。
【００１１】
また、前記反射光から得られる前記信号の前記レベルが所定の基準値よりも小さい場合に、前記光ピックアップの位置は前記情報未記録領域側であると、前記判別部が判別することとできる。
【００１２】
前記光ピックアップの位置が前記情報未記録領域側である場合、前記光ピックアップを移動させることとできる。
したがって、光ピックアップの異常動作や、スピンドルモータの暴走等に陥る前に、極めて短時間で、光ピックアップを前記情報未記録領域から前記情報記録領域へ脱出させることが可能となる。
【００１３】
さらに、前記光ピックアップの位置が前記光ディスクの内周側であるか否かを検出する光ピックアップ位置検出部を有し、前記光ピックアップ位置検出部の検出結果に基づき、前記光ピックアップを移動させることとできる。
したがって、光ピックアップが内周側の情報未記録領域に位置するか否かを検出することができる。そして、その検出結果に基づき、光ピックアップを移動させることができる。したがって、光ピックアップの移動方向を誤ることなく、正確に効率よく、光ピックアップを情報未記録領域側から情報記録領域側へ位置させることが可能となる。
【００１４】
さらにまた、前記反射光から得られる前記信号はＲＦ信号であって、前記レベルは当該ＲＦ信号のピーク対ピークの差分値であることとできる。
したがって、反射光から得られる信号はＲＦ信号であるため、ゲイン調整などの再生処理に入る前に前記判別が可能となる。したがって、従来のようにＰＬＬが正常動作しなくなるまでの時間を測定するといった方式と異なり、極めて短時間で前記判別が可能となる。
【００１５】
また、前記判別部は、前記反射光から得られる信号のレベルについて所定時間の当該レベルに基づき、前記光ピックアップの前記位置を判別することとできる。
したがって、ノイズや傷等を原因とする誤判別を回避でき、より正確な前記判別が可能となる。
【００１６】
本発明に係る光ディスクのミラー面検知方法にあっては、光ディスクからの反射光から得られる信号のレベルを検出し、前記レベルに基づき、前記光ディスクにおける情報記録領域と情報未記録領域とのいずれかの側に、前記光ピックアップが位置しているかを判別する、こととする。
【００１７】
【発明の実施の形態】
＝＝＝＝全体構成＝＝＝＝
本実施の形態に係る光ディスク再生（及び／又は記録）装置の構成について、図１及び図２のブロック図を参照にして説明する。
図１に示すように、光ディスク１０の再生装置の基本的な構成としては、良く知られているように、光ピックアップ１００、ＲＦアンプ２００、Ａ／Ｄ（アナログ・デジタル）コンバータ３００、ディジタル信号プロセッサ（Ｄｉｇｉｔａｌ  Ｓｉｇｎａｌ  Ｐｒｏｃｅｓｓｏｒ、以後、「ＤＳＰ」と称する。）４００、マイコン（マイクロプロセッサ、判別部、光ピックアップ位置検出部）５００、サーボプロセッサ６００、ドライバ７００、及びスピンドルモータ８００を備える。
【００１８】
サーボプロセッサ６００は、マイコン５００から指令を受けるとドライバ７００に制御信号を出力する。この制御信号に基づき、ドライバ７００は、光ピックアップ１００を搬送するスレッドを駆動する。結果、光ピックアップ１００は、光ディスク１０のリードイン領域に移動する。この光ピックアップ１００は、光ディスク１０へレーザ光を照射し、その反射光を受光することで、ＲＦ信号を読み取る。この読み取ったＲＦ信号に応じ、サーボプロセッサ６００は、光ピックアップ１００のフォーカスを光ディスク１０のピット面に合わせ、フォーカシング・サーボ及びトラッキング・サーボを確立する。
【００１９】
そして、再生処理として、ＲＦアンプ２００は、光ピックアップ１００が読み取ったＲＦ信号を増幅してＡ／Ｄコンバータ３００に出力する。Ａ／Ｄコンバータ３００は、増幅されたＲＦ信号をデジタル化してＤＳＰ４００に出力する。ＤＳＰ４００は、デジタル化されたＲＦ信号に基づき、ＥＦＭ復調や誤り訂正等の処理を実行し、ディジタルオーディオ信号等の再生信号を得る。なお、この再生信号は、Ｄ／Ａ（デジタル・アナログ）コンバータでアナログ信号に変換され、例えばオーディオアンプに出力される。
【００２０】
＝＝＝＝ミラー面を検知する仕組み＝＝＝＝
本実施の形態に係る光ディスク再生装置は、信号レベル検出回路部を備える。この信号レベル検出回路部は、光ピックアップ１００が受光する反射光から得られるＲＦ信号のレベルを検出する。図２に示すように、本実施例では、一例として、信号レベル検出回路部をＤＳＰ４００内部に組み込む。ずなわち、信号レベル検出回路部は、ＲＦ信号のピーク対ピークの差分値をＲＦ信号のレベルとして検出すべく、ピークホールド回路４００ａ、ボトムホールド回路４００ｂ、及び差分回路４００ｃで構成する。なお、各ホールド回路４００ａ，４００ｂはレジスタで構成される。
【００２１】
Ａ／Ｄコンバータ３００からのデジタル化されたＲＦ信号について、そのピーク値（ＰＨ）をピークホールド回路４００ａでホールドし、そのボトム値（ＢＨ）をボトムホールド回路４００ｂでホールドする。これら双方のホールド回路４００ａ，４００ｂでホールドされた値の差分値を差分回路４００ｃで得る。この差分値は、差分データとしてレジスタ４００ｄに格納され、適宜、マイコン５００に読み出される。詳細は後述するが、マイコン５００は、読み出した差分データに基づき、差分値が小さければ、光ピックアップ１００がミラー面に位置していると判定する一方、差分値が大きければ、光ピックアップ１００が情報記録領域に位置していると判定する。
【００２２】
＝＝＝＝ミラー面の検知及び脱出の動作＝＝＝＝
図３のフローチャートに示すように、光ディスク再生装置が動作を開始すると、前述したように、フォーカシング・サーボ等が確立し、光ピックアップ１００のフォーカスがオンの状態となる（Ｓ１００）。つぎに、前述したように、ＲＦ信号のピーク対ピークの差分値を測定する（Ｓ２００）。マイコン５００は、その差分データに基づき、光ピックアップ１００の位置がミラー面側か、あるいは、情報記録領域（データエリア）側かを判別する（Ｓ３００）。
【００２３】
この判別の方式としては、ＲＦ信号のピーク対ピークの差分値（レベル）について、所定の基準値よりも小さい場合に、光ピックアップ１００の位置がミラー面と判別する一方、反対に、所定の基準値よりも大きい場合には、データエリア側であると判別する。具体的には、一例として、ＲＦ信号のピーク対ピークのレベルを表す図４（ａ）（ｂ）のグラフに示すように、図４（ａ）のデータエリアの場合では、ピーク値（ＰＨ）とボトム値（ＢＨ）との差分値は約０．８ボルトである。一方、図４（ｂ）のミラー面の場合では、ピーク値（ＰＨ）とボトム値（ＢＨ）との差分値は約０ボルトである。したがって、両者の差分値を十分に識別できるように、基準値を例えば０．２Ｖに設定する。この基準値はマイコン５００のＲＯＭ等に予め記憶させておく。すなわち、基準値０．２Ｖに対し、差分値が大きい場合にはデータエリアと判別し、反対に、差分値が小さい場合にはミラー面と判別する。
【００２４】
そして、Ｓ３００の判別処理の結果、ミラー面でないと判別された場合（Ｓ３００：ＮＯ）には、前述した再生処理を実行する（Ｓ４００）。反対に、ミラー面であると判別された場合（Ｓ３００：ＹＥＳ）には、マイコン５００は、インナー・スイッチがオンであるか否かを確認する（Ｓ５００）。このインナー・スイッチとは、光ピックアップ１００の位置が光ディスク１０の内周側にあるか否かを示すための機械的な公知のスイッチである。このインナー・スイッチは、例えば、光ピックアップ１００がスレッドのレールに沿って移動する際に、接触する位置に配置されており、光ピックアップ１００の位置が光ディスク１０の最内周に対面すればオンとなる一方、この最内周側から離れるとオフとなる。つまり、マイコン５００は、光ピックアップ１００の位置の検出動作として、インナー・スイッチの状態を監視し、これがオンであれば光ピックアップ１００の位置が内周側であると判断する一方、オフであれば内周側ではないと判断する。したがって、Ｓ５００において、このインナー・スイッチがオンであれば（Ｓ５００：ＹＥＳ）、マイコン５００は、光ピックアップ１００の位置が光ディスク１０の内周側のミラー面にあると判定し、スレッドを光ディスク１０の外周側に移動させる。その結果、光ピックアップ１００は光ディスク１０の内周側から外周側に向けて移動する（Ｓ６００）。このことにより、ミラー面から適正な方向へ光ピックアップ１００の脱出を図る。そして、Ｓ２００の処理に戻り、光ピックアップ１００のミラー面脱出の有無を確認する。
【００２５】
一方、インナー・スイッチがオンでなければ（Ｓ５００：ＮＯ）、マイコン５００は、光ピックアップ１００の位置が光ディスク１０の外周側のミラー面にあると判定し、スレッドを光ディスク１０の内周側に移動させる。その結果、光ピックアップ１００は光ディスク１０の外周側から内周側に向けて移動する（Ｓ７００）。このことにより、ミラー面から適正な方向へ光ピックアップ１００の脱出を図る。そして、Ｓ２００の処理に戻り、光ピックアップ１００のミラー面脱出の有無を確認する。このようなＳ１００乃至Ｓ７００の処理を繰り返すことにより、光ピックアップ１００がミラー面に位置していた場合、その脱出を図る。
【００２６】
＝＝＝＝ノイズ信号及び傷等の対策＝＝＝＝
光ディスクにノイズ信号が記録されていたり、傷やゴミが付いていた場合、前述した光ピックアップ１００がミラー面に位置しているか否かにおいて、誤った判別を防ぐようにしておく。つまり、マイコン５００は、前述した図３のＳ３００におけるピーク値とボトム値との差分値に基づくミラー面の判別にあたり、例えば２０ミリ秒程度の間の差分データに基づき判別する。
【００２７】
すなわち、ノイズ信号や傷やゴミの影響による差分データは、光ディスク１０の１／４乃至１／３回転に相当する２０ミリ秒程度を超えたまま、連続した値を維持するとは考えにくい。したがって、２０ミリ秒未満の間に基準値を中心に変化する差分データは無視する一方、２０ミリ秒以上の間、連続して基準値を上回り続ける、あるいは、下回り続けた場合、その定常的な差分データに基づき、ミラー面の判別を実行する。具体的には、マイコン５００が、２０ミリ秒の間、所定のサンプリング周期でレジスタ４００ｄの差分データを読み出すことで、ミラー面の判別動作を実行する。
【００２８】
【発明の効果】
反射光から得られる信号のレベルに基づき、前記光ディスクにおける情報記録領域と情報未記録領域とのいずれかの側に、光ピックアップが位置しているかを判別する。よって、ゲイン調整などの再生処理に入る前に前記判別が可能となる。したがって、従来のようにＰＬＬが正常動作しなくなるまでの時間を測定するといった方式と異なり、極めて短時間で前記判別が可能となる。
【図面の簡単な説明】
【図１】本発明の一実施の形態に係る光ディスク再生装置のブロック図である。
【図２】本発明の一実施の形態に係る光ディスク再生装置の要部ブロック図である。
【図３】本発明の一実施の形態に係る光ディスク再生装置によるミラー面の検知及び脱出の動作を示すフローチャートである。
【図４】ＲＦ信号のピーク対ピークのレベルを表すグラフであり、（ａ）はデータエリアの場合であり、（ｂ）はミラー面の場合である。
【符号の説明】
１００    光ピックアップ
２００    ＲＦアンプ
３００    Ａ／Ｄコンバータ
４００    ディジタル信号プロセッサ
４００ａ  ピークホールド回路
４００ｂ  ボトムホールド回路
４００ｃ  差分回路
４００ｄ  レジスタ
５００    マイコン（マイクロプロセッサ）
６００    サーボプロセッサ
７００    ドライバ
８００    スピンドルモータ
【図１】
2004310931.tif 000003
【図２】
2004310931.tif 000004
【図３】
2004310931.tif 000005
【図４】
2004310931.tif 000006